(57)【要約】【課題】サーバが不要で、即時性の高い電子掲示板システムを提供すること。【解決手段】掲示板端末は、メッセージ入力手段が作成したメッセージと、トークンＩＤ作成手段が作成したトークンＩＤに、検印状況データを付与してエントリを作成し、エントリリストを回覧情報に従って、順次送信し、エントリリスト受信手段が受信したエントリリストから、エントリリスト既読未読判定手段が未読メッセージを含む未読エントリを判別し、メッセージ表示手段は、エントリリスト既読未読判定手段が判別した未読エントリから、未読メッセージを抽出し、掲示板端末に表示する。【選択図】図１
2005189910.tif 000002
【特許請求の範囲】
【請求項１】
メッセージを作成するメッセージ入力手段と、
前記メッセージを識別するものであるトークンＩＤを作成するトークンＩＤ作成手段と、
掲示板端末を識別する識別情報と、他掲示板端末の前記識別情報とアドレスの組である回覧先情報を保持し、前記トークンＩＤと前記メッセージと前記メッセージの既読または未読を示している検印状況データの組をエントリとし、複数のエントリをエントリリストとして前記エントリリストを、前記回覧先情報に従って、他の前記掲示板端末に送信するエントリリスト送信手段と、
他の掲示板端末から、前記エントリリストを受信するエントリリスト受信手段と、
前記エントリリスト受信手段が受信した前記エントリリストを保持するエントリリスト保持手段と、
前記エントリリスト受信手段が受信した前記エントリリストに含まれる複数のエントリから、前記検印状況データを検索して未読エントリを判別し、前記未読エントリに含まれる検印状況データの自掲示板端末の未読を既読に変更するエントリリスト既読未読判定手段と、
前記エントリリスト既読未読判定手段が判別した前記未読エントリから未読メッセージを抽出して画面等に表示するメッセージ表示手段とを備えたことを特徴とする電子掲示板端末。
【請求項２】
前記検印状況データは、前記メッセージを取得済みの場合は既読を示し、前記メッセージを取得していない場合は、未読を示すデータから構成されることを特徴とする請求項１に記載の電子掲示板端末。
【請求項３】
前記エントリリスト既読未読判定手段は、前記エントリリストが含む複数のエントリから、前記トークンＩＤの前記識別情報が自掲示板端末の前記識別情報でなく、かつ、前記検印状況データの自掲示板端末が未読になっている場合、未読エントリと判別することを特徴とする請求項１または請求項２に記載の電子掲示板端末。
【請求項４】
前記回覧先情報は、前記掲示板端末を識別する識別情報と、前記掲示板表示端末のアドレスから構成されることを特徴とする請求項１〜３のいずれか１項に記載の電子掲示板端末。
【請求項５】
前記トークンＩＤは、前記識別情報と、時刻から構成されることを特徴とする請求項１〜４のいずれか１項に記載の電子掲示板端末。
【請求項６】
前記トークンＩＤ作成手段は、前記識別情報と、現在時刻から、前記トークンＩＤを生成することを特徴とする請求項１〜５のいずれか１項に記載の電子掲示板端末。
【請求項７】
前記エントリリスト送信手段は、前記エントリが含む前記検印状況データを検索し、未読となっている前期掲示板端末の一覧を抽出し、抽出した前記掲示板端末の前記識別情報から自掲示板端末の識別情報を減算し、減算した結果が、正で最も小さい前記識別情報の前記掲示板端末へ前記エントリリストを送信し、減算した結果が、全て負の場合、負で最も小さい前記識別情報の前記掲示板端末へ前記エントリリストを送信し、前記掲示板端末が前記エントリリストを受信できなかった場合、次に小さい前記識別情報の前記掲示板端末へ前記エントリリストを送信することで、前記掲示板端末へ前記エントリリリストを回覧することを特徴とする、請求項１〜６のいずれか１項に記載の電子掲示板端末。
【請求項８】
前記エントリリスト保持手段は、前記エントリリスト受信手段が受信した前記エントリリストから、前記トークンＩＤが含む前記識別情報が自掲示板端末の前記識別情報で、かつ、前記検印状況データが全て既読となっている、前記エントリを削除して保持することを特徴とする請求項１〜７のいずれか１項に記載の電子掲示板端末。
【請求項９】
前記エントリリスト既読未読判定手段は、前記エントリリスト受信手段が受信した前記エントリリストから、自掲示板端末の前記検印状況データが未読となっている場合、自掲示板端末の前記検印状況データを既読に変更することを特徴とする請求項１〜８のいずれか１項に記載の電子掲示板端末。
【請求項１０】
前記メッセージ入力手段は、入力されたメッセージと、前記トークンＩＤ作成手段が作成したトークンＩＤと、自掲示板端末の検印状況データのみ既読とし、他の前記掲示板端末の検印状況データは未読として、新規エントリを生成することを特徴とする請求項１〜９のいずれか１項に記載の電子掲示板端末。
【請求項１１】
前記エントリは、前記トークンＩＤと、前記メッセージ、前記検印状況データ、有効期限の組から構成され、
前記エントリリスト既読未読判定手段は、受信した前記エントリリスト中の、前記エントリの前記有効期限が現在時刻よりも古い場合、前記エントリを削除することを特徴とする請求項１〜１０のいずれか１項に記載の電子掲示板端末。
【請求項１２】
前記掲示板端末は更に、新規にネットワークに接続された場合、他の掲示板端末に回覧先情報取得要求を送信し、受信した前記回覧先情報に、前記識別情報と、前記掲示板表示端末のアドレスを新たに付与する回覧先情報処理手段を備え、
前記エントリリスト送信手段は、前記トークンＩＤと、新規追加を示す新規参加情報を含むメッセージ種別と、前記メッセージとして前記回覧先情報と、前記検印状況データの組をエントリとし、前記エントリをエントリリストとして、前記エントリリストを、前記回覧先情報に従って、他の前記掲示板端末に送信することを特徴とする請求項１〜１１のいずれか１項に記載の電子掲示板端末。
【請求項１３】
前記回覧先情報処理手段は、前記回覧先情報取得要求を受信したら、保持している前記回覧先情報を送信元の前記掲示板端末へ送信することを特徴とする請求項１〜１２のいずれか１項に記載の電子掲示板端末。
【請求項１４】
前記エントリリスト受信手段は、前記受信した前記エントリリスト中の、前記エントリの前記メッセージ種別が前記新規参加情報の場合、前記回覧先情報を更新することを特徴とする請求項１〜１３のいずれか１項に記載の電子掲示板端末。
【請求項１５】
前記掲示板端末が、前記ネットワークから離脱する場合、
前記エントリリスト送信手段は、前記トークンＩＤと、離脱を示す離脱情報を含む前記メッセージ種別と、前記メッセージとして離脱する前記掲示板端末の前記識別情報と前記アドレスと、前記検印状況データの組をエントリとし、前記エントリをエントリリストとして、前記エントリリストを、前記回覧先情報に従って、他の前記掲示板端末に送信することを特徴とする請求項１〜１４のいずれか１項に記載の電子掲示板端末。
【請求項１６】
前記エントリリスト受信手段は、受信した前記エントリリスト中の、前記エントリの前記メッセージ種別が離脱情報であった場合、前記回覧先情報から、該当する前記掲示板端末の前記識別情報と前記アドレスを削除することを特徴とする請求項１〜１５のいずれか１項に記載の電子掲示板端末。
【請求項１７】
前記掲示板端末は、さらに
他の前記掲示板端末へ、エントリ作成者、条件、時刻範囲を含んだ過去ログ要求を送信し、前記過去ログ要求を受信し、エントリ作成者、条件、時刻範囲に合致した複数のエントリを抽出し、前記過去ログ要求を送信した前記掲示板端末へ送信する過去ログ処理手段を備えたことを特徴とする請求項１〜１６のいずれか１項に記載の電子掲示板端末。
【請求項１８】
前記電子掲示板端末は、ネットワークに接続していることを特徴とする請求項１〜１７のいずれか１項に記載の電子掲示板端末。
【請求項１９】
コンピュータを、メッセージを作成するメッセージ入力手段と、
前記メッセージを識別するものであるトークンＩＤを作成するトークンＩＤ作成手段と、
掲示板端末を識別する識別情報と、他掲示板端末の前記識別情報とアドレスの組である回覧先情報を保持し、前記トークンＩＤと、前記メッセージと、前記メッセージの既読または未読を示している検印状況データの組をエントリとし、複数のエントリをエントリリストとして前記エントリリストを、前記回覧先情報に従って、他の前記掲示板端末に送信するエントリリスト送信手段と、
他の掲示板端末から、前記エントリリストを受信するエントリリスト受信手段と、
前記エントリリスト受信手段が受信した前記エントリリストを保持するエントリリスト保持手段と、
前記エントリリスト受信手段が受信した前記エントリリストに含まれる複数のエントリから、前記検印状況データを検索して未読エントリを判別し、前記未読エントリに含まれる検印状況データの自掲示板端末の未読を既読に変更するエントリリスト既読未読判定手段と、
前記エントリリスト既読未読判定手段が判別した前記未読エントリから未読メッセージを抽出して画面等に表示するメッセージ表示手段として機能させるための電子掲示板プログラム。
【発明の詳細な説明】
【技術分野】
【０００１】
本発明は、ネットワークを利用した電子掲示板端末に関するものである。
【背景技術】
【０００２】
従来の電子掲示板システムとしては、掲示板サーバを設置しているものがあった（例えば、特許文献１参照）。図１５は、前記特許文献１に記載された従来のシステムを示すものである。
【０００３】
図１５において、端末機１１は、既存ネットワーク２１を介して、掲示板サーバ４１にアクセスして、メッセージを送信し、システム運用プログラム４２が掲示板データ５１を更新していた。端末機１２は、掲示板サーバ４１にアクセスして、掲示板データ５１を取得して、内容を表示していた。
【特許文献１】特開２００１−３３１４１３号公報（第１−９頁、図１）
【発明の開示】
【発明が解決しようとする課題】
【０００４】
しかしながら、前記従来の構成では、掲示板サーバ４１が、掲示板データ５１を一括管理する方式なので、掲示板サーバ４１が故障等、何らかの異常が発生した場合、全ての掲示板データ５１が利用不可能になる、という課題を有していた。また、掲示板参加者が増えた場合、掲示板サーバ４１の処理負荷が高くなり、参加者に十分なサービスを提供できない、掲示板サーバ４１の運用に莫大なコストがかかる、という課題を有していた。さらに、掲示板データを表示する端末機は、定期的に掲示板サーバ４１にアクセスすることで掲示板データ５１を取得、表示するため、掲示板データ５１が更新されてから、端末機が表示するまでに時間がかかり即時性に欠ける、という課題を有していた。
【０００５】
本発明は、前記従来の課題を解決するもので、効率的で且つ、即時性に優れた掲示板システムを提供することを目的とする。
【課題を解決するための手段】
【０００６】
前記従来の課題を解決するために、本発明の電子掲示板システムは、掲示板端末がメッセージを識別するトークンＩＤと、メッセージと、メッセージの既読、未読を示している検印状況データの組をエントリとし、複数のエントリをエントリリストとして送信するエントリリスト送信手段と、エントリリストを受信するエントリリスト受信手段と、検印状況データを検索して、メッセージが既読か未読かを判定するエントリリスト既読未読判定手段を有することで、サーバを介することなく他の掲示板端末へ直接メッセージの送信を行う。
【０００７】
本構成によって、メッセージの管理をサーバで集中管理する必要がなく、メッセージ受信端末は、即座にメッセージを取得することができる。
【発明の効果】
【０００８】
本発明の掲示板システムによれば、サーバが不要なため、サーバダウンによる全サービスの停止がなくなり、運用コストを削減でき、さらに、メッセージ生成から、取得、表示までを即座に行うことができる。
【発明を実施するための最良の形態】
【０００９】
以下本発明の実施の形態について、図面を参照しながら説明する。
【００１０】
（実施の形態１）
図１は、本発明の実施の形態１における電子掲示板システムの構成図である。図１において、本実施の形態は、掲示板端末Ａ１、ネットワーク２、掲示板端末Ｂ３、掲示板端末Ｃ４とを含んで構成される。掲示板端末Ａ１は、掲示板端末Ａ１、掲示板端末Ｂ３、掲示板端末Ｃ４で表示するメッセージを作成するメッセージ入力手段１１と、後述するトークンＩＤを作成するトークンＩＤ作成手段１２と、後述するエントリリストを作成し、掲示板端末Ｂ３、または、掲示板端末Ｃ４に送信するエントリリスト送信手段１３と、掲示板端末Ｂ３または掲示板端末Ｃ４からエントリリストを受信するエントリリスト受信手段１４と、受信したエントリリストを保持するエントリリスト保持手段１５と、受信したエントリの既読か未読かを示す検印状況データを既読にするエントリリスト既読未読判定手段１６と、受信したエントリリストが含むメッセージ表示するメッセージ表示手段１７を具備する。掲示板端末Ｂ３、掲示板端末Ｃ４は、掲示板端末Ａ１と同様の手段を具備する。
【００１１】
掲示板端末Ａ１の動作を図２のフローチャートを用いて説明する。
【００１２】
図１において、掲示板端末Ａ１のメッセージ入力手段１１は、ユーザが入力することで、掲示板端末Ｂ３、掲示板端末Ｃ４に送信するメッセージを作成する（Ｓ１０００）。トークンＩＤ作成手段１２は、メッセージ入力手段１１がメッセージを作成したらトークンを識別するトークンＩＤを作成する（Ｓ１００１）。トークンＩＤの例を図３に示す。識別情報１００は、ネットワーク２で掲示板端末Ａ１を識別する情報で、現在時刻１０１は、現在時刻の年、月、時、分、秒を表す。
【００１３】
エントリリスト送信手段１３は、トークンＩＤ作成手段１２が作成したトークンＩＤ、メッセージ入力手段１１が作成したメッセージからエントリを作成する（Ｓ１００２）。エントリの例を図４に示す。トークンＩＤ２００は、トークンＩＤ作成手段１２が作成した図３のトークンＩＤで、メッセージ２０１は、メッセージ入力手段１１が作成したメッセージで、検印状況データ２０２は、掲示板端末Ａ１、掲示板端末Ｂ３、掲示板端末Ｃ４がメッセージ２０１を取得したか否かを表すデータ、有効期限２０３は、メッセージ２０１の有効期限を示すデータである。図４の例では、○が既読、×が未読とする。掲示板端末Ａ１のメッセージ入力手段１１がメッセージ２０１を生成した時、検印状況データ２０２のＡは○、Ｂは×、Ｃは×となる。エントリリスト送信手段１３は、１つ以上のエントリをまとめて、エントリリストを作成する（Ｓ１００３）。ここでは、エントリリストを構成するエントリは図４のエントリ１つである。エントリリスト送信手段１３は、後述する回覧先情報から、エントリリストを送信する掲示板端末のアドレスを決定する（Ｓ１００４）。回覧先情報の例を図５に示す。エントリリスト送信手段１３は、識別情報３００から、エントリリストを送信する掲示板端末の識別情報を決定する。図５の例の場合、Ａ＝１、Ｂ＝２、Ｃ＝３、と採番すると、Ｃ−Ａ＝２、Ｂ−Ａ＝１となり、掲示板端末Ａは、他の掲示板端末と自掲示板端末の差が正で最小の掲示板端末Ｂをエントリリストの送信先として決定する。アドレス３０１から、掲示板端末Ｂのアドレスである３４.５６．７８.９を決定する。
【００１４】
エントリリスト送信手段１３は、エントリリストを掲示板端末Ｂ３に送信しようとしたが、掲示板端末Ｂ３の異常等により失敗した場合、エントリリスト送信手段は、図５の回覧先情報から、次に送信する候補である掲示板端末Ｃ４の識別情報とアドレスを決定して、エントリリストを送信する（Ｓ１００５）。
【００１５】
掲示板端末Ｂ３の動作を図６のフローチャートを用いて説明する。
【００１６】
掲示板端末Ｂ３のエントリリスト受信手段１４は、掲示板端末Ａ１からエントリリストを受信する（Ｓ２０００）。エントリリスト保持手段１５は、受信したエントリリストを保持する。エントリリスト既読未読判定手段１６は、受信したエントリリストから、掲示板端末Ｂ３が、未読となっているエントリを検索する（Ｓ２００１）。受信したエントリリストに含まれる図４のエントリが含むトークンＩＤ２００の識別情報は、掲示板端末Ｂ３の識別情報ではなく、かつ、検印状況データ２０２のＢは未読となっているので、受信したエントリは未読と判定する。メッセージ表示手段１７は、未読エントリがある場合（Ｓ２００２）未読メッセージ２０１を抽出して掲示板端末に表示し（Ｓ２００３）、未読エントリの検印状況データ２０２のＢを既読に変更する（Ｓ２００４）。掲示板端末Ｂ３のエントリリスト既読未読判定手段１６が、検印状況データ２０２を既読に変更したエントリリストの例を図７(ａ)に示す。エントリリスト既読未読判定手段１６は、現在時刻よりも古い有効期限２０３のエントリを検索し（Ｓ２００５）、該当するエントリを、エントリリストから削除する（Ｓ２００６）。
【００１７】
エントリリスト既読未読判定手段１６は、検印状況データ２０２が全て既読で、かつトークンＩＤ２００の識別情報１００が自掲示板端末の識別情報であった場合（Ｓ２００７）、全掲示板端末が取得したエントリであることを示すので、該当するエントリを削除する（Ｓ２００８）。
【００１８】
掲示板端末Ｂ３のエントリリスト送信手段１３は、図５の回覧情報から、図７(ａ)のエントリリストの送信先を掲示板端末Ｃ４に決定し（Ｓ２００９）、エントリリストを送信する（Ｓ２０１０）。
【００１９】
掲示板端末Ｃ４は、掲示板端末Ｂ３と同様の方法で、受信した図７(ａ)のエントリリストのメッセージ４０１を掲示板端末に表示し、検印状況データ４０２のＣを既読に変更する。掲示板端末Ｃ４のメッセージ表示手段が、検印状況データ４０２を既読に変更したエントリリストの例を図７(ｂ)に示す。掲示板端末Ｃ４のエントリリスト送信手段１３は、図５の回覧情報から図７(ｂ)のエントリリストの送信先を決定する。しかし、Ａ−Ｃ＝−２、Ｂ−Ｃ＝−１となり、計算結果は全て負になる。このような場合は、計算結果が最小となる掲示板端末を送信先として決定する。ここでは、エントリリストの送信先を、掲示板端末Ａ１に決定し、送信する。
【００２０】
掲示板端末Ａ１のエントリリスト受信手段１４は、掲示板端末Ｃ４から図７(ｂ)のエントリリストを受信し、エントリリスト保持手段１５は、図７(ｂ)のエントリリストが含むトークンＩＤ５００の識別情報が自掲示板端末Ａ１を示すＡであり、検印状況データ５０２が全て既読になっていることから、トークンＩＤ５００のエントリは、全掲示板端末が取得したと判定し、エントリを削除する。
【００２１】
エントリリスト受信手段Ｃ４は、エントリリストを受信し、エントリリスト保持手段１５がエントリリストを保持した状態で、メッセージ入力手段１１が新規メッセージを作成した時、トークンＩＤ作成手段１２は、新規にトークンＩＤを作成し、エントリリスト送信手段は、新規検印状況データを作成して、新規トークンＩＤと、新規メッセージと、新規検印状況データから新規エントリを作成して、エントリリスト保持手段１５で保持している図４のエントリに新規エントリを追加して、掲示板端末Ａ１に送信する。図４のエントリに、新規エントリを追加したエントリリストの例を図８に示す。
【００２２】
なお、本実施の形態において、複数の掲示板端末として掲示板端末Ａ、掲示板端末Ｂ、掲示板端末Ｃを設けたが、掲示板端末の台数が２台、または４台以上であっても良い。
【００２３】
なお、本実施の形態において、識別情報の例として、Ａ、Ｂ、Ｃを設けたが、掲示板端末を特定するために、他の記号、数字であっても良い。
【００２４】
（実施の形態２）
図９は、本発明の実施の形態２における電子掲示板システムの構成図である。図９において図１と同一の構成には同一番号を付し説明を省略する。掲示板端末Ａ１００は、掲示板端末Ａ１の手段に加え、掲示板端末が新規に追加、離脱する場合に、回覧先情報を更新する回覧先情報処理手段１８と、他の掲示板端末から過去のエントリを取得する過去ログ処理手段１９を新たに具備する。
【００２５】
掲示板端末Ｂ３００、掲示板Ｃ４００、掲示板端末Ｄ５００は、掲示板端末Ａ１００と同様の手段を具備する。
【００２６】
掲示板端末Ｄ５００が、新たにネットワーク２に参加した場合の動作を図１０のフローチャートを用いて説明する。掲示板端末Ｄ５００の動作がＳ３０００〜Ｓ３００６、掲示板端末Ａ１００の動作がＳ４０００〜Ｓ４００９である。
【００２７】
掲示板端末Ｄ５００の回覧先情報処理手段１８は、回覧先情報取得要求を予め決められた掲示板端末に送信する（Ｓ３０００）。ここでは例として、掲示板端末Ａ１００に送信する。
【００２８】
掲示板端末Ａ１００の回覧先情報処理手段１８は、掲示板端末Ｄ５００から回覧先情報取得要求を受信すると（Ｓ４０００）、掲示板端末Ａ１００で保持している図５を一例とする回覧先情報を掲示板端末Ｄ５００へ送信する（Ｓ４００１）。
【００２９】
掲示板端末Ｄ５００の回覧先情報処理手段１８は、掲示板端末Ａ１００から回覧先情報を受信すると（Ｓ３００１）、掲示板端末Ｄ５００の識別情報とアドレスを受信した回覧先情報に追加する（Ｓ３００２）。追加した回覧先情報を図１１に示す。掲示板端末Ｄ５００の回覧先情報処理手段１８は、識別情報７００に掲示板端末Ｄ５００を識別するＩＤと、アドレス７０１に掲示板端末Ｄ５００のアドレスを追加する。図１１の回覧先情報を作成した回覧先情報処理手段１８は、新規参加用エントリを作成する（Ｓ３００３）。作成した新規参加用エントリの例を図１２(ａ)に示す。トークンＩＤ８００は、実施の形態１で説明した図３のトークンＩＤ２００と同様である。メッセージ種別８０１は、エントリの内容を区別する識別情報を含める。例として、１を新規追加、２を離脱、３を通常メッセージとする。メッセージ８０２には、図１１の回覧先情報を含める。検印状況データ８０３には、掲示板端末Ａ１００〜Ｄ５００の検印情報を含める。有効期限８０４には、エントリの有効期限を含める。掲示板端末Ｄ５００のエントリリスト送信手段１３は、図１２(ａ)のエントリをエントリリストとして作成し（Ｓ３００４）、送信する掲示板端末に掲示板端末Ａ１００を決定し（Ｓ３００５）、エントリリストを送信する（Ｓ３００６）。
【００３０】
掲示板端末Ａ１００のエントリリスト受信手段１４は、エントリリストを受信し（Ｓ４００２）、エントリリスト既読未読判定手段１６は未読エントリを検索し（Ｓ４００３）、図１２(ａ)のエントリ中のメッセージ種別８０１が新規追加を示す１であった場合（Ｓ４００４）、メッセージ８０２から図１１の回覧先情報を取得して、掲示板端末Ａ１００が保持している回覧先情報を更新する（Ｓ４００５）。さらに、掲示板端末Ａ１００のエントリリスト既読未読判定手段１６は、実施の形態１と同様の方法で検印情報データ８０３の検印情報を既読である○にして（Ｓ４００６）、エントリリスト送信手段１３は、次のエントリ送信先である掲示板端末Ｂ３００にエントリリストを送信する。
【００３１】
掲示板端末Ｂ３００、Ｃ４００も、掲示板端末Ａ１００と同様の方法で、回覧先情報を更新する。
【００３２】
掲示板端末Ｄ５００が、ネットワーク２から離脱する場合の動作を図１３のフローチャートを用いて説明する。掲示板端末Ｄ５００の動作がＳ５０００〜Ｓ５００３、掲示板端末Ａ１００の動作がＳ６０００〜Ｓ６００１である。
【００３３】
掲示板端末Ｄ５００の回覧先情報処理手段１８は、離脱用エントリを作成する（Ｓ５０００）。離脱用エントリの例を図１２(ｂ)に示す。トークンＩＤ９００は、実施の形態１で説明した図４のトークンＩＤ２００と同様である。メッセージ種別９０１は、離脱を示す２を含める。メッセージ９０２には、掲示板端末Ｄ５００の識別情報であるＩＤと、掲示板端末Ｄ５００のアドレスを含める。検印状況データ９０３には、掲示板端末Ａ１００〜Ｃ４００の検印情報を含める。有効期限９０４には、エントリの有効期限を含める。掲示板端末Ｄ５００のエントリリスト送信手段１３は、図９(ｂ)のエントリをエントリリストとして作成し（Ｓ５００１）、送信する掲示板端末に掲示板端末Ａ１００を決定し（Ｓ５００２）、エントリリストを送信する（Ｓ５００３）。
【００３４】
掲示板端末Ａ１００のエントリリスト受信手段１４は、エントリリストを受信し（Ｓ６０００）、エントリリスト既読未読判定手段１６は、未読エントリを検索し（Ｓ６００１）、図１２(ｂ)のエントリ中のメッセージ種別９０１が離脱を示す２であった場合（Ｓ６００２）、メッセージ９０２を取得して、保持している回覧先情報から掲示板端末Ｄ５００の識別情報とアドレスを削除する（Ｓ６００３）。さらに、掲示板端末Ａ１００のエントリリスト既読未読判定手段１６は、実施の形態１と同様の方法で検印状況データ９０３の検印情報を既読である○にする（Ｓ６００４）。エントリの検印状況データ９０３が全て既読を示す○である場合（Ｓ６００５）、エントリを削除する（Ｓ６００６）。全て既読でない場合、エントリリスト送信手段１３は、図１２(ｂ)のエントリをエントリリストとして作成し（Ｓ６００７）、送信する掲示板端末に掲示板端末Ｂ３００を決定し（Ｓ６００８）、エントリリストを送信する（Ｓ６００９）。
【００３５】
掲示板端末Ｂ３００、Ｃ４００も、掲示板端末Ａ１００と同様の方法で、回覧先情報を削除する。
【００３６】
掲示板端末Ｃ４００のエントリリスト既読未読判定手段１６は、エントリのメッセージ種別が離脱を示す２で、エントリの検印状況データ９０３が全て既読を示す○となっているので、エントリを削除する。
【００３７】
掲示板端末Ｄ５００が、ネットワーク２に参加する以前のメッセージを取得する場合、過去ログ処理手段１９は、過去ログ要求を他の掲示板端末へ送信する。例として、掲示板端末Ａ１００に送信するとする。過去ログ要求のデータ構造の例を図１４(ａ)に示す。発信者１０００は、過去にメッセージを発信した掲示板端末の識別情報を含む。条件１００１は、発信者１０００と時刻範囲１００２の２つの条件が、両方満たす「ＡＮＤ」か、どちらかを満たす「ＯＲ」を示すデータを含む。時刻範囲１００２は、要求するメッセージの時刻の範囲を含む。図１４(ａ)の例では、「Ａが発信したメッセージで、かつ、２００３年１月１日０時０分０秒から２００３年６月３０日１２時５９分５９秒の間に発信されたメッセージ」を要求することになる。
【００３８】
掲示板端末Ａ１００の過去ログ処理手段１９は、過去ログ要求を受信し、保持しているエントリのトークンＩＤから、過去ログ要求のデータに合致しているエントリを抽出し、掲示板端末Ｄ５００へ送信する。抽出したエントリの例を図１４(ｂ)に示す。
【００３９】
掲示板端末Ｄ５００の過去ログ処理手段１９は、掲示板端末Ａ１００から過去ログ要求の条件に従ったエントリを受信し、メッセージ表示手段１７は、画面などに表示する。
【００４０】
なお、本実施の形態において、メッセージ種別を１が新規参加、２が離脱、３が通常メッセージとしたが、他の記号、数字であっても良い。
【００４１】
尚、本発明はプログラムによって実現し、そのプログラムを記録媒体に記録して移送することにより、独立した他のコンピュータシステムで容易に実施することも出来る。
【産業上の利用可能性】
【００４２】
本発明にかかる電子掲示板システムは、掲示板端末、ネットワークを有し、地域、学校の連絡網等として有用である。
【図面の簡単な説明】
【００４３】
【図１】本発明の実施の形態１における電子掲示板システムの構成図
【図２】本発明の実施の形態１における掲示板端末Ａ１がメッセージを作成して送信するフローチャート
【図３】本発明の実施の形態１におけるトークンＩＤの例を示す図
【図４】本発明の実施の形態１における掲示板端末Ａ１が作成するエントリリストの例を示す図
【図５】本発明の実施の形態１における全掲示板端末が保持する回覧情報の例を示す図
【図６】本発明の実施の形態１における掲示板端末Ｂ２がエントリリストを受信して処理を行うフローチャート
【図７】本発明の実施の形態１における掲示板端末Ｂ３が更新するエントリリストの例、掲示板端末Ｃ４が更新するエントリリストの例を示す図
【図８】本発明の実施の形態１における掲示板端末Ｃ４が、掲示板端末Ａ１から受信したエントリリストに新規エントリを追加した例を示す図
【図９】本発明の実施の形態２における電子掲示板システムの構成図
【図１０】本発明の実施の形態２における掲示板端末Ｄ５００がネットワークに新規参加する時のフローチャート
【図１１】本発明の実施の形態２における新規に掲示板端末Ｄ５００が参加した時の回覧先情報の例を示す図
【図１２】本発明の実施の形態２における新規に参加した掲示板端末Ｄ５００が送信する新規参加用エントリリストの例、ネットワークから離脱する掲示板端末Ｄ５００が送信する離脱用エントリリストの例を示す図
【図１３】本発明の実施の形態２における掲示板端末Ｄ５００がネットワークから離脱する時のフローチャート
【図１４】本発明の実施の形態２における過去ログ要求のデータ構造の例、過去ログ要求に合致したエントリの例を示す図
【図１５】従来の電子掲示板システムの構成図
【符号の説明】
【００４４】
１，３，４，１００，３００，４００，５００    掲示板端末
２    ネットワーク
１１    メッセージ入力手段
１２    トークンＩＤ作成手段
１３    エントリリスト送信手段
１４    エントリリスト受信手段
１５    エントリリスト保持手段
１６    エントリリスト既読未読判定手段
１７    メッセージ表示手段
１８    回覧先情報処理手段
１９    過去ログ処理手段
【図１】
2005189910.tif 000003
【図２】
2005189910.tif 000004
【図３】
2005189910.tif 000005
【図４】
2005189910.tif 000006
【図５】
2005189910.tif 000007
【図６】
2005189910.tif 000008
【図７】
2005189910.tif 000009
【図８】
2005189910.tif 000010
【図９】
2005189910.tif 000011
【図１０】
2005189910.tif 000012
【図１１】
2005189910.tif 000013
【図１２】
2005189910.tif 000014
【図１３】
2005189910.tif 000015
【図１４】
2005189910.tif 000016
【図１５】
2005189910.tif 000017